(57)【要約】【課題】被検体と検出部との位置関係が適切、且つ、安定して保持できることにより、高精度な生体情報を測定することが可能な生体情報測定装置を提供する。【解決手段】被検体に対して光を射出する発光部１５０と、被検体を経由した前記光を受光する受光部１４０と、前記光を透過し、被検体と接触する透光部材５０と、透光部材５０を有し、被検体と接触するケース部３０と、を備え、発光部１５０から透光部材５０に向かう方向と直交する方向からの断面視において、透光部材５０の被検体と接触する第１面５０ａと向かい合う透光部材５０の第２面５０ｂを基準としたときに、第２面５０ｂから第１面５０ａまでの距離は、第２面５０ｂからケース部３０の被検体と接触する面（頂部５２ｔ１，５２ｔ２の面３０ａ）までの距離よりも短いことを特徴とする生体情報測定装置。【選択図】図６
2017189415.tif 000002
【特許請求の範囲】
【請求項１】
被検体に対して光を射出する発光部と、
前記被検体を経由した前記光を受光する受光部と、
前記光を透過し、前記被検体と接触する透光部材と、
前記透光部材を有し、少なくとも一部が前記被検体と接触するケース部と、を備え、
前記発光部から前記透光部材に向かう方向と直交する方向からの断面視において、前記透光部材の前記被検体と接触する第１面と向かい合う前記透光部材の第２面を基準としたときに、前記第２面から前記第１面までの距離は、前記第２面から前記ケース部の前記被検体と接触する面までの距離よりも短いことを特徴とする生体情報測定装置。
【請求項２】
請求項１に記載の生体情報測定装置において、
前記ケース部は、前記発光部から前記透光部材に向かう方向に沿って突出する突出部を有し、
前記透光部材は、前記突出部に設けられていることを特徴とする生体情報測定装置。
【請求項３】
請求項１または２に記載の生体情報測定装置において、
前記断面視において、前記透光部材の近傍に位置し前記被検体と接触する前記ケース部の第１の部位と、前記透光部材を挟んで前記第１の部位の反対側に位置する第２の部位との距離をＬとしたとき、前記ＬがＬ＝４．５ｍｍのとき、前記第２面から前記第１面までの距離と、前記第２面から前記ケース部の前記被検体と接触する面までの距離との差Δｈは、０．０５ｍｍ≦Δｈ≦０．３ｍｍであることを特徴とする生体情報測定装置。
【請求項４】
請求項１または２に記載の生体情報測定装置において、
前記断面視において、前記透光部材の近傍に位置し前記被検体と接触する前記ケース部の第１の部位と、前記透光部材を挟んで前記第１の部位の反対側に位置する第２の部位との距離をＬとしたとき、前記Ｌが４．０ｍｍ≦Ｌ≦５．０ｍｍのとき、前記第２面から前記第１面までの距離と、前記第２面から前記ケース部の前記被検体と接触する面までの距離との差Δｈは、０．１５ｍｍ≦Δｈ≦０．１７ｍｍであることを特徴とする生体情報測定装置。
【請求項５】
請求項１または２に記載の生体情報測定装置において、
前記断面視において、前記透光部材の近傍に位置し前記被検体と接触する前記ケース部の第１の部位と、前記透光部材を挟んで前記第１の部位の反対側に位置する第２の部位との距離をＬとしたとき、前記第２面から前記第１面までの距離と、前記第２面から前記ケース部の前記被検体と接触する面までの距離との差Δｈは、式（１）で表されることを特徴とする生体情報測定装置。
【数１】
2017189415.tif 000006
【請求項６】
請求項１〜５のいずれか１項に記載の生体情報測定装置において、
前記発光部と前記受光部との間に配置され、前記発光部から前記受光部に直接入射される前記光を遮蔽する遮光部を備えることを特徴とする生体情報測定装置。
【請求項７】
請求項６に記載の生体情報測定装置において、
前記遮光部は、前記ケース部に設けられていることを特徴とする生体情報測定装置。
【請求項８】
請求項１〜７のいずれか１項に記載の生体情報測定装置において、
前記被検体に光を射出する第２の発光部を備え、
前記発光部および前記第２の発光部は、各々の光の射出位置の前記透光部材からの距離、前記受光部からの距離、の少なくともいずれかが異なる位置に配置されることを特徴とする生体情報測定装置。
【請求項９】
請求項８に記載の生体情報測定装置において、
前記発光部と前記第２の発光部とから各々射出される光の波長帯が異なることを特徴とする生体情報測定装置。
【請求項１０】
請求項１〜９のいずれか１項に記載の生体情報測定装置において、
前記ケース部は遮光性を有することを特徴とする生体情報測定装置。
【発明の詳細な説明】
【技術分野】
【０００１】
本発明は、生体情報測定装置に関する。
【背景技術】
【０００２】
従来、バンド等によって手首等の部位に装着され、被検体である装着者の脈波等の生体情報を測定する機能を有する腕時計タイプの生体情報測定装置が知られている。例えば特許文献１には、装着者の腕（手首）に装着し、被検体である装着者の皮膚に対して光を射出する発光部（発光素子）と、装着者の皮膚を経由した光を受光する受光部（受光素子）と、を有する光学式脈波検出センサーを用いて、装着者の脈波などの生体情報を計測する腕装着型の生体情報測定装置が開示されている。
【０００３】
このような生体情報測定装置では、測定対象物（被検体）である装着者の皮膚表面の血流を光学的に測定し、信号化することによって脈波などの生体情報を得ており、発光部および受光部を有する検出部（センサー部）の皮膚と接触する面と皮膚表面との接触状態、例えば、皮膚表面と検出部との接触位置や接触圧力（応力）などを適切、且つ、安定して保持させることが、正確な情報を得るために非常に重要な要素となる。
【先行技術文献】
【特許文献】
【０００４】
【特許文献１】特開２０００−２５４１０５号公報
【発明の概要】
【発明が解決しようとする課題】
【０００５】
しかしながら、特許文献１に記載の生体情報測定装置（脈拍検出装置）では、被検体である皮膚表面と、検出部との、接触状態を適切、かつ、安定して保持させる構成については、何ら言及されていない。このため、例えば装着者の体動などによって、生体情報測定装置の検出部と、装着者の皮膚表面との接触状態が変化してしまい、それによってセンサー部による検出出力が変動して、生体情報の検出精度が低下する虞があるという課題があった。
【課題を解決するための手段】
【０００６】
本発明は、上述の課題の少なくとも一部を解決するためになされたものであり、以下の形態または適用例として実現することが可能である。
【０００７】
［適用例１］  本適用例にかかる生体情報測定装置は、被検体に対して光を射出する発光部と、前記被検体を経由した前記光を受光する受光部と、前記光を透過し、前記被検体と接触する透光部材と、前記透光部材を有し、少なくとも一部が前記被検体と接触するケース部と、を備え、前記発光部から前記透光部材に向かう方向と直交する方向からの断面視において、前記透光部材の前記被検体と接触する第１面と向かい合う前記透光部材の第２面を基準としたときに、前記第２面から前記第１面までの距離は、前記第２面から前記ケース部の前記被検体と接触する面までの距離よりも短いことを特徴とする。
【０００８】
生体情報測定装置において、測定対象である被検体を経由した光を受光部で的確に受光し正確な情報を取得するためには、被検体から受光部までの距離（間隔）が重要であり、この距離（間隔）を所定値に保持するために、検出部と被検体との接触状態を適切、且つ、安定して保持することが可能な構成が求められる。本適用例によれば、ケース部の被検体と接触する面が、透光部材の第１面よりも被検体に近い面になる。これにより、透光部材の第１面に被検体を接触させた生体情報測定装置の装着状態において、透光部材の第１面よりも、ケース部の被検体と接触する面が被検体により強く接触して、検出部と被検体との接触状態を安定的に保持することが可能になる。
したがって、被検体を経由した光を、受光部が透光部材を介して的確に受光することができる被検体と受光部との位置関係を安定して保持することができることから、例えば脈波などの生体情報を正確に取得することができる生体情報測定装置を提供することができる。
【０００９】
［適用例２］  上記適用例にかかる生体情報測定装置において、前記ケース部は、前記発光部から前記透光部材に向かう方向に沿って突出する突出部を有し、前記透光部材は、前記突出部に設けられていることが好ましい。
【００１０】
本適用例によれば、ケース部は、生体情報測定装置の被検体への装着状態において、被検体に向けて突出する突出部を有し、その突出部に透光部材が設けられているので、突出部および透光部材が被検体に対してより安定して保持され、生体情報測定装置の測定精度をより向上させることができる。
【００１１】
［適用例３］  上記適用例にかかる生体情報測定装置において、前記断面視において、前記透光部材の近傍に位置し前記被検体と接触する前記ケース部の第１の部位と、前記透光部材を挟んで前記第１の部位の反対側に位置する第２の部位との距離をＬとしたとき、前記ＬがＬ＝４．５ｍｍのとき、前記第２面から前記第１面までの距離と、前記第２面から前記ケース部の前記被検体と接触する面までの距離との差Δｈは、０．０５ｍｍ≦Δｈ≦０．３ｍｍであることが好ましい。
【００１２】
生体情報測定装置の測定対象物、例えば注目すべき血管は皮膚下０．３ｍｍ程度にあり、このような対象物からの反射光を受光部が的確に受光するためには、第１の部位と第２の部位との幅寸法Ｌが大きい程有利である。しかしながら、幅寸法Ｌを大きくすることは、生体情報測定装置の平面方向の面積が大きくなってしまうことになり、幅寸法Ｌが４．５ｍｍを超えると、装着時に違和感を生じるなど携帯性が悪化してしまう。一方、幅寸法Ｌが小さすぎると、受光部における対象物からの反射光を的確に受光することが困難になり、幅寸法Ｌを０．３ｍｍ以上にしないと、この血管からの反射光を受光部において的確に受光することができない。以上のことから、本適用例において、幅寸法Ｌの基準値として設定する４．５ｍｍは、対象物に装着された生体情報測定装置に激しい運動などによる衝撃が加わっても、生体情報測定装置の移動が起き難い上限付近の幅であり、生体情報の的確な測定を行うことができるとともに携帯性をさらに向上させることが可能な幅寸法Ｌの上限であるといえる。本適用例によれば、幅寸法Ｌが４．５ｍｍのとき、透光部材の第２面から第１面までの距離と、第２面からケース部の被検体と接触する面までの距離との差Δｈを、０．０５ｍｍ≦Δｈ≦０．３ｍｍとすることにより、日常生活において携帯性を損ねることなく、的確な生体情報を取得することが可能な生体情報測定装置を提供することが可能となることを発明者は見出した。
【００１３】
［適用例４］  上記適用例にかかる生体情報測定装置において、前記断面視において、前記透光部材の近傍に位置し前記被検体と接触する前記ケース部の第１の部位と、前記透光部材を挟んで前記第１の部位の反対側に位置する第２の部位との距離をＬとしたとき、前記Ｌが４．０ｍｍ≦Ｌ≦５．０ｍｍのとき、前記第２面から前記第１面までの距離と、前記第２面から前記ケース部の前記被検体と接触する面までの距離との差Δｈは、０．１５ｍｍ≦Δｈ≦０．１７ｍｍであることを特徴とする。
【００１４】
発明者は、上述の幅寸法Ｌが４．５ｍｍを超えた場合でも、幅寸法Ｌが５．０ｍｍ以下であれば、生体情報測定装置の平面方向の面積が大きくなってしまうことにより装着時に違和感が生じるなどの携帯性の悪化を感じることがないことを確認した。また、発明者は、幅寸法Ｌが、４．０ｍｍ≦Ｌ≦５．０ｍｍの範囲にあるとき、上述したΔｈを、０．１５ｍｍ≦Δｈ≦０．１７ｍｍとすることにより、日常生活において携帯性を損ねることなく、より的確な生体情報を取得することが可能な生体情報測定装置を提供することができることを見出した。
【００１５】
［適用例５］  上記適用例にかかる生体情報測定装置において、前記断面視において、前記透光部材の近傍に位置し前記被検体と接触する前記ケース部の第１の部位と、前記透光部材を挟んで前記第１の部位の反対側に位置する第２の部位との距離をＬとしたとき、前記第２面から前記第１面までの距離と、前記第２面から前記ケース部の前記被検体と接触する面までの距離との差Δｈは、式（１）で表されることが好ましい。
【００１６】
【数１】
2017189415.tif 000003
【００１７】
本適用例によれば、上述したΔｈを、上式（１）で表す範囲に設定することにより、検出部と被検体との接触状態を適切に、且つ、安定的に保持することができ、例えば脈波などの生体情報を正確に取得することが可能となることを発明者は見出した。
【００１８】
［適用例６］  上記適用例にかかる生体情報測定装置において、前記発光部と前記受光部との間に配置され、前記発光部から前記受光部に直接入射される前記光を遮蔽する遮光部を備えることを特徴とする。
【００１９】
本適用例によれば、受光部と発光部との間に配置される遮光部により、発光部から射出される光が、受光部に直接届く（入射する）ことを防止することができる。これにより、ノイズ成分の少ない光を受光部に入射させることができ、生体情報測定装置の測定精度をより向上させることが可能となる。
【００２０】
［適用例７］  上記適用例にかかる生体情報測定装置において、前記遮光部は、前記ケース部に設けられていることを特徴とする。
【００２１】
本適用例によれば、発光部および受光部を有する検出部（センサー部）を汎用の検出モジュール（センサーモジュール）として構成しておくことにより、その汎用モジュールを、遮光部が設けられたケース部に組み込むことによって、測定精度の高い生体情報測定装置を構成することができる。
【００２２】
［適用例８］  上記適用例にかかる生体情報測定装置において、前記被検体に光を射出する第２の発光部を備え、前記発光部および前記第２の発光部は、各々の光の射出位置の前記透光部材からの距離、前記受光部からの距離、の少なくともいずれかが異なる位置に配置されることを特徴とする。
【００２３】
本適用例によれば、発光部、および、発光部とは異なる位置に配置された第２の発光部の２つの発光部を有しているので、例えば、発光部および第２の発光部を、受光部の中心を通る仮想線に対して線対称の位置に配置することにより、省スペースにて、２つの発光部を併せた光が受光部に集まり、より正確な検出を行うことが可能になる。
【００２４】
［適用例９］  上記適用例にかかる生体情報測定装置において、前記発光部と前記第２の発光部とから各々射出される光の波長帯が異なることを特徴とする。
【００２５】
本適用例によれば、例えば、被検体の血管内の第１の物質に反射され易い第１の波長域の光と、第１の物質とは異なる第２の物質に反射され易い第２の波長域の光とを、発光部および第２の発光部の各々に割り当てることにより、複数の物質に対応する検出値を求めることが可能な生体情報測定装置を提供することができる。
【００２６】
［適用例１０］  上記適用例にかかる生体情報測定装置において、前記ケース部は遮光性を有することを特徴とする。
【００２７】
本適用例によれば、ケース部が遮光性を有しているので、発光部から射出され、被検体を経由した検出対象の光とは異なるノイズ光が受光部に届く（入射する）ことを防止することができる。これにより、ノイズ成分の少ない光を受光部に入射させることができ、生体情報測定装置の測定精度をより向上させることが可能となる。
【図面の簡単な説明】
【００２８】
【図１】実施形態に係る生体情報測定装置の外観を示す斜視図。
【図２】実施形態の生体情報測定装置の外観を示す斜視図。
【図３】実施形態の生体情報測定装置の外観を示す側面図。
【図４】生体情報測定装置の装着及び端末装置との通信についての説明図。
【図５】生体情報測定装置の機能ブロック図。
【図６】生体情報測定装置のセンサー部の構成例を模式的に示す正断面図。
【図７】センサー部の構成例を図６のＡ−Ａから見て模式的に示す平面図。
【図８】センサー部と被検体としてのユーザーの皮膚との接触状態を模式的に示す部分断面図。
【図９】透光部材の近傍に位置しユーザーと接触するケース部の第１の部位と第２の部位との距離である幅寸法Ｌと、透光部材の第２面から第１面までの距離と第２面からケース部のユーザーと接触する面までの距離との差Δｈとの関係の評価結果を示す表１〜表５。
【図１０】生体情報測定装置の変形例１に係るセンサー部を模式的に示す正断面図。
【図１１】生体情報測定装置の変形例２に係るセンサー部を模式的に示す正断面図。
【図１２】生体情報測定装置の変形例３に係るセンサー部を模式的に示す部分断面図。
【図１３】生体情報測定装置の変形例４に係るセンサー部を模式的に示す斜視図。
【図１４】生体情報測定装置の変形例５に係るセンサー部を模式的に示す正面図。
【図１５】生体情報測定装置の変形例６に係るセンサー部を模式的に示す部分断面図。
【図１６】生体情報測定装置の変形例７に係るセンサー部を模式的に示す平面図。
【図１７】生体情報測定装置の変形例８に係るセンサー部を模式的に示す部分断面図。
【図１８】生体情報測定装置の変形例９に係るセンサー部を模式的に示す部分断面図。
【発明を実施するための形態】
【００２９】
以下、本発明の実施形態について、図面を参照して説明する。なお、以下で説明する本実施形態は、特許請求の範囲に記載された本発明の内容を不当に限定するものではなく、本実施形態で説明される構成の全てが、本発明の必須構成要件であるとは限らない。また、以下の各図においては、各層や各部材を認識可能な程度の大きさにするため、各層や各部材の尺度を実際とは異ならせしめている。
【００３０】
（実施形態）
１．生体情報測定装置の全体構成例
図１は、実施形態に係る生体情報測定装置の外観を正面方向からみて示す斜視図であり、図２は、図１における斜め上方向側からみた斜視図である。図３は、実施形態の生体情報測定装置の外観を示す側面図である。
【００３１】
図１〜図３に示すように、本実施形態の生体情報測定装置は、バンド部１０と、ケース部３０と、生体情報測定モジュールとしてのセンサー部４０を有する。
ケース部３０は、バンド部１０に取り付けられる。センサー部４０は、ケース部３０に設けられる。また生体情報測定装置は、後述する図５に示すように処理部２００を有する。処理部２００は、ケース部３０に設けられ、センサー部４０からの検出信号に基づいて生体情報を検出する。なお、本実施形態の生体情報測定装置は、図１、図２、および図３の構成に限定されず、その構成要素の一部を省略したり、他の構成要素に置き換えたり、他の構成要素を追加したりするなどの種々の変形実施が可能である。
【００３２】
生体情報測定モジュールとしてのセンサー部４０は、図６を用いて後述するように、基板１６０と、発光部１５０と、受光部１４０と、壁部７０を含むフレーム状の遮光部としての第１壁部７１および第２壁部７２と、絞り部８０（８０ａ，８０ｂ）を有する光検出ユニットと、他の部材とから構成される。図６の例であれば、他の部材とは、透光部材５０を有するケース部３０により実現される突出部としての凸部５２、凹部５６等である。ただし、本実施形態に係る光検出ユニットがそれらの部材を含む、即ち、センサー部４０全体が、光検出ユニットに対応する等の変形実施も可能である。
【００３３】
図１、図２、および図３に戻る。バンド部１０は、被検体である装着者（以下、ユーザーともいう）の手首に巻き付けて生体情報測定装置（ケース部３０）を装着するためのものである。バンド部１０は、バンド穴１２、バックル部１４を有する。バックル部１４は、バンド挿入部１５と突起部１６とを有する。ユーザーは、バンド部１０の一端側を、バックル部１４のバンド挿入部１５に挿入し、バンド部１０のバンド穴１２にバックル部１４の突起部１６を挿入することで、生体情報測定装置を手首に装着する。この場合、どのバンド穴１２に突起部１６を挿入するかに応じて、後述するセンサー部４０の押圧（手首表面に対する押圧）の大きさを調整することができる。
【００３４】
ケース部３０は、生体情報測定装置の本体部に相当するものである。ケース部３０の内部には、センサー部４０、処理部２００（図５参照）等の生体情報測定装置の種々の構成部品が設けられる。即ち、ケース部３０は、これらの構成部品を収納する筐体である。このケース部３０は、例えば手首と反対側に位置するトップケース３４と、手首側に位置するボトムケース３６を有する。なおケース部３０は、トップケース３４とボトムケース３６に分離される態様のものでなくてもよい。また、バックル部１４の代わりに美錠を用いたバンドを採用しても良い。
【００３５】
本実施形態のケース部３０には、発光窓部３２が設けられている。発光窓部３２は、透光部材により形成されている。そしてケース部３０には、フレキシブル基板に実装された発光部（ＬＥＤ、光検出ユニットの発光部１５０とは異なる報知用の発光部）が設けられており、この発光部からの光が、発光窓部３２を介してケース部３０の外部に射出される。
【００３６】
図３に示すように、ケース部３０には端子部３５が設けられている。生体情報測定装置を図示しないクレードルに装着すると、クレードルの端子部とケース部３０の端子部３５とが電気的に接続される。これによりケース部３０に設けられる二次電池（バッテリー）の充電が可能になる。
【００３７】
生体情報測定モジュールとしてのセンサー部４０は、例えば被検体の脈波等の生体情報を検出するものである。例えばセンサー部４０は、後述する図５、図６に示すように、受光部１４０と発光部１５０を有する。またセンサー部４０は、被検体に接触させる透光部材５０を有するケース部３０（ボトムケース３６）により形成され、発光部１５０から透光部材５０に向かう方向に沿って突出する突出部としての凸部５２を有する。即ち、凸部５２は、センサー部４０が被検体に装着された状態において、被検体の皮膚表面に接触して押圧を与える突出部として機能する。このように凸部５２が皮膚表面に押圧を与えた状態で、発光部１５０が光を射出し、その光が被検体（血管）により反射された光を受光部１４０が受光し、その受光結果が検出信号として処理部２００に出力される。そして処理部２００は、センサー部４０からの検出信号に基づいて脈波等の生体情報を検出する。なお、本実施形態の生体情報測定装置の検出対象となる生体情報は、脈波（脈拍数）には限定されず、生体情報測定装置は、脈波以外の生体情報（例えば血液中の酸素飽和度、体温、心拍等）を検出する装置であってもよい。
【００３８】
図４は、生体情報測定装置４００の装着及び端末装置４２０との通信についての概略を示す説明図である。図４に示すように、被検体であるユーザーは、手首４１０に生体情報測定装置４００を時計のように装着する。図３に示すように、ケース部３０の被検体側の面にはセンサー部４０が設けられている。従って、生体情報測定装置４００が装着されると、センサー部４０の凸部５２が手首４１０の皮膚表面に接触して押圧を与え、その状態でセンサー部４０の発光部１５０が光を発光し、受光部１４０が反射光を受光することで、脈波等の生体情報が検出される。
【００３９】
生体情報測定装置４００と端末装置４２０とは通信接続されて、データのやり取りが可能になっている。端末装置４２０は、例えばスマートフォン、携帯電話機、フィーチャーフォン等の携帯型通信端末である。或いは端末装置４２０は、タブレット型コンピューター等の情報処理端末であってもよい。生体情報測定装置４００と端末装置４２０の通信接続としては、例えばブルートゥース（Bluetooth（登録商標））等の近接無線通信を採用できる。このように生体情報測定装置４００と端末装置４２０が通信接続されることで、端末装置４２０の表示部４３０（ＬＣＤ等）に、脈拍数や消費カロリーなどの各種の情報を表示できる。即ち、センサー部４０の検出信号に基づき求められた各種の情報を表示できる。なお脈拍数や消費カロリーなどの情報の演算処理は、生体情報測定装置４００において実行してもよいし、その少なくとも一部を端末装置４２０において実行してもよい。
【００４０】
生体情報測定装置４００には、発光窓部３２が設けられており、報知用の発光体（図示せず）の発光（点灯、点滅）により、各種の情報をユーザーに報知する。例えば消費カロリーなどの情報において、脂肪燃焼ゾーンに入った場合や脂肪燃焼ゾーンから出た場合に、これを、発光窓部３２を介した発光体の発光により報知する。また、端末装置４２０においてメール等が受信されると、それが端末装置４２０から生体情報測定装置４００に通知される。そして、生体情報測定装置４００の発光体が発光することで、メール等の受信がユーザーに通知される。
【００４１】
このように図４に示す例では、生体情報測定装置４００にはＬＣＤ等の表示部が設けられておらず、文字や数字等で報知する必要がある情報は、端末装置４２０の表示部４３０に表示される。このように図４に示す例では、ＬＣＤ等の表示部を設けずに、必要最小限の情報を発光体の発光によりユーザーに報知することで、生体情報測定装置４００の小型化を実現している。また生体情報測定装置４００に表示部を設けないことで、生体情報測定装置４００の美観についても向上できる。
【００４２】
図５に、本実施形態の生体情報測定装置の機能ブロック図を示す。図５に示す生体情報測定装置は、生体情報測定モジュールとしてのセンサー部４０、体動センサー部１７０、振動発生部１８０、処理部２００、記憶部２４０、通信部２５０、アンテナ２５２、報知部２６０を含む。なお、本実施形態の生体情報測定装置は、図５に示す構成に限定されず、その構成要素の一部を省略したり、他の構成要素に置き換えたり、他の構成要素を追加するなどの種々の変形実施が可能である。
【００４３】
生体情報測定モジュールとしてのセンサー部４０は、脈波等の生体情報を検出するものであり、受光部１４０、発光部１５０を含む。これらの受光部１４０、発光部１５０等により脈波センサー（光電センサー）が実現される。センサー部４０は、脈波センサーにより検出された信号を、脈波検出信号として出力する。
【００４４】
体動センサー部１７０は、種々のセンサーのセンサー情報に基づいて、体動に応じて変化する信号である体動検出信号を出力する。体動センサー部１７０は、体動センサーとして例えば加速度センサー１７２を含む。なお、体動センサー部１７０は、体動センサーとして圧力センサーやジャイロセンサーなどを有していてもよい。
【００４５】
処理部２００は、例えば記憶部２４０をワーク領域として、各種の信号処理や制御処理を行うものであり、例えばＣＰＵ等のプロセッサー或いはＡＳＩＣなどの論理回路により実現できる。処理部２００は、信号処理部２１０と、拍動情報演算部２２０と、報知制御部２３０とを含む。
【００４６】
信号処理部２１０は、各種の信号処理（フィルター処理等）を行うものであり、例えば、センサー部４０からの脈波検出信号や体動センサー部１７０からの体動検出信号などに対して信号処理を行う。例えば、信号処理部２１０は体動ノイズ低減部２１２を含む。体動ノイズ低減部２１２は、体動センサー部１７０からの体動検出信号に基づいて、脈波検出信号から、体動に起因したノイズである体動ノイズを低減（除去）する処理を行う。具体的には、例えば適応フィルターなどを用いたノイズ低減処理を行う。
【００４７】
拍動情報演算部２２０は、信号処理部２１０からの信号等に基づいて、拍動情報の演算処理を行う。拍動情報は例えば脈拍数などの情報である。具体的には、拍動情報演算部２２０は、体動ノイズ低減部２１２でのノイズ低減処理後の脈波検出信号に対してＦＦＴ等の周波数解析処理を行って、スペクトルを求め、求めたスペクトルにおいて代表的な周波数を心拍の周波数とする処理を行う。求めた周波数を６０倍にした値が、一般的に用いられる脈拍数（心拍数）となる。なお、拍動情報は脈拍数そのものには限定されず、例えば脈拍数を表す他の種々の情報（例えば心拍の周波数や周期等）であってもよい。また、拍動の状態を表す情報であってもよく、例えば血液量そのものを表す値を拍動情報としてもよい。
【００４８】
報知制御部２３０は報知部２６０を制御する。報知部２６０（報知デバイス）は、報知制御部２３０の制御により、ユーザーに各種の情報を報知する。報知部２６０としては例えば報知用の発光体を用いることができる。この場合には、報知制御部２３０はＬＥＤに流れる電流を制御することで、発光体の点灯、点滅等を制御する。なお、報知部２６０は、ＬＣＤ等の表示部やブザー等であってもよい。
【００４９】
また報知制御部２３０は、振動発生部１８０の制御を行う。振動発生部１８０は、振動により各種の情報をユーザーに報知するものである。振動発生部１８０は、例えば振動モーター（バイブレーター）により実現できる。振動モーターは、例えば、偏芯した錘を回転させることで振動を発生する。具体的には、駆動軸（ローター軸）の両端に偏芯した錘を取り付けてモーター自体が揺れるようにする。振動発生部１８０の振動は報知制御部２３０により制御される。なお、振動発生部１８０はこのような振動モーターには限定されず、種々の変形実施が可能である。例えばピエゾ素子などにより振動発生部１８０を実現してもよい。
【００５０】
振動発生部１８０による振動により、例えば、電源オン時のスタートアップの報知、初回の脈波検出の成功の報知、脈波が検出できない状態が一定時間続いた時の警告、脂肪燃焼ゾーンの移動時の報知、電池電圧低下時の警告、起床アラームの通知、或いはスマートフォン等の端末装置からのメールや電話等の通知などが可能になる。なお、これらの情報は、報知用の発光部により報知してもよいし、振動発生部１８０、発光部の両者で報知してもよい。
【００５１】
通信部２５０は、図４で説明したように外部の端末装置４２０との通信処理を行う。例えば、ブルートゥース（Bluetooth（登録商標））などの規格にしたがった無線通信の処理を行う。具体的には、通信部２５０は、アンテナ２５２からの信号の受信処理や、アンテナ２５２への信号の送信処理を行う。この通信部２５０の機能は通信用のプロセッサー或いはＡＳＩＣなどの論理回路により実現できる。
【００５２】
（センサー部の構成例）
次に、図６、図７、および図８を参照して、センサー部４０の詳細な構成例について説明する。図６は、生体情報測定装置のセンサー部の構成例を模式的に示す正断面図であり、図７は、図６のＡ−Ａから見て模式的に示す平面図である。また、図８は、センサー部４０と被検体としてのユーザーの皮膚４１１との接触状態を模式的に示す部分断面図である。
図６および図７に示すように、本構成例のセンサー部４０は、受光部１４０と発光部１５０を有する。これらの受光部１４０および発光部１５０は、所定の間隔を有して並び、支持部としての基板１６０（センサー基板）の支持面（実装面）１６０ａに実装されている。発光部１５０は、対象物（被検体等）に対して光を射出する。そして、受光部１４０は、対象物を経由した光（反射光、透過光等）を受光する。例えば、発光部１５０が光を射出し、その光が対象物（例えば血管）により反射されると、受光部１４０が、その反射光を受光して検出する。受光部１４０は、例えばフォトダイオード等の受光素子により実現できる。発光部１５０は、例えばＬＥＤ等の発光素子により実現できる。例えば受光部１４０は、半導体の基板に形成されたＰＮ接合のダイオード素子などにより実現できる。この場合に、受光角度を絞るための角度制限フィルターや受光素子に入射する光の波長を制限する波長制限フィルター（光学フィルター膜）を、このダイオード素子上に形成してもよい。
【００５３】
なお、発光部１５０に設けられる集光部としてのドーム型レンズ１５１（広義には集光レンズ）は、発光部１５０に樹脂封止（光透過樹脂で封止）されるＬＥＤチップ（広義には発光素子チップ）からの光を集光するためのレンズである。即ち、表面実装型の発光部１５０では、ＬＥＤチップがドーム型レンズ１５１の下方に配置されており、ＬＥＤチップからの光は、ドーム型レンズ１５１により集光されて対象物に射出される。これにより、対象物に照射される光の強度を強くすることができることから、光検出ユニットの光学的な効率を向上でき、より正確な測定を行うことが可能となる。
【００５４】
生体情報測定装置として、脈拍計を例にとると、発光部１５０から射出された光は、対象物である被検体の内部を進み、表皮、真皮及び皮下組織等で拡散、または散乱する。その後、この光は、血管（被検出部位）に到達し、反射される。この際に、光の一部は血管により吸収される。そして、脈拍の影響により血管での光の吸収率が変化し、反射光の光量も変化するため、受光部１４０がこの反射光を受光して、その光量の変化を検出することで、生体情報である脈拍数等を検出できるようになる。
【００５５】
このような生体情報測定装置では、皮膚表面の血流を光学的に測定し、信号化することによって脈波、脈拍などの生体情報を得ている。したがって、測定の正確性や携帯性を向上させるためには、発光部１５０から受光部１４０までの間の光路における外乱光などのノイズ成分の減少や発光部１５０から受光部１４０に直接入射される光（直接光等）を減少させたりすることが重要である。発明者らは、このような観点から、以下に説明する透光部材を有するケース部に凹部を設けたり、透光部材の被検体との接触面とケース部の被検体との接触面との位置関係を所定の関係に規定したり、あるいは、遮光部を設け、この遮光部（壁部）の寸法関係の構成を鋭意検討・検証することによって、測定の正確さや安定性を確保しつつ携帯性に優れた遮光部（壁部）の配置（構成）や寸法関係を見出した。
【００５６】
本構成例におけるセンサー部４０には、受光部１４０の外周１４０ｂおよび発光部１５０の外周１５０ｂをそれぞれ囲むフレーム状の遮光部としての第１壁部７１および第２壁部７２が設けられている。支持部としての基板１６０の支持面１６０ａに実装された受光部１４０を囲む第２壁部７２の少なくとも一部には、遮光部としての壁部７０を含んでいる。壁部７０は、受光部１４０と発光部１５０との間に設けられている。フレーム状の第１壁部７１および第２壁部７２は、受光部１４０や発光部１５０の上面に所望の空間を形成する。また、第１壁部７１および第２壁部７２は、壁部７０によって、例えば発光部１５０から受光部１４０に直接入射される直接光などの光や受光部１４０に入射されるノイズ成分となる外乱光などの光を遮光する。このように、第２壁部７２の少なくとも一部に壁部７０が設けられていることにより、発光部１５０から射出される光が、受光部１４０に直接届く（入射する）ことを防止することができる。これにより、ノイズ成分の少ない光を受光部１４０に入射させることができ、生体情報測定モジュールの測定精度をより向上させることが可能となる。
【００５７】
そして、フレーム状の第１壁部７１および第２壁部７２は、例えば金属板の板金加工により形成することができる。このように、第１壁部７１および第２壁部７２を金属板の板金加工で形成すれば、安価な材料で容易に強度の優れた第１壁部７１および第２壁部７２とすることができるとともに、金属の第１壁部７１および第２壁部７２によって光の反射が可能となり、発光部１５０から射出された光を効率よく対象物である被検体に照射したり、被検体からの反射光を効率よく受光部１４０に入射したりすることができる。なお、第１壁部７１および第２壁部７２は、金属材料以外の材料として、ゴム等の樹脂（天然樹脂及び合成樹脂を含む）があげられる。これらの材料は、安価に、また容易に入手が可能であり、且つ第１壁部７１および第２壁部７２を容易に形成することができる。
【００５８】
センサー部４０において、測定の対象物（被検体、例えば被験者の皮膚）を経由した光を受光部１４０で的確に受光し、正確な生体情報を取得するためには、対象物から受光部１４０までの距離（間隔）が重要であり、この距離（間隔）を所定値に保持するために、センサー部４０と対象物との接触状態を適切、且つ、安定して保持することが可能な構成が求められる。センサー部４０と対象物との接触状態を適切、且つ、安定して保持することを可能とする構成として、本実施形態では、発光部１５０から被検体（対象物）に対して射出する光、および、その光が対象物で反射した光（対象物を経由した光）を透過し、被検体と接触する透光部材５０と、この透光部材５０を有し、被検体と接触するケース部３０（ボトムケース３６）とを備え、透光部材５０の被検体と接触する第１面５０ａと向かい合う透光部材５０の第２面５０ｂを基準としたときに、第２面５０ｂから第１面５０ａまでの距離は、第２面５０ｂからケース部３０（ボトムケース３６）の対象物（被検体）と接触する面３０ａまでの距離よりも短い構成となっている。即ち、センサー部４０において、ケース部３０（ボトムケース３６）の被検体と接触する面３０ａの透光部材５０近傍の一部は、透光部材５０の被検体と接触する第１面５０ａよりも被検体側（例えば被験者の皮膚側）に突出している。
【００５９】
また、上述したように、センサー部４０は、ケース部３０（ボトムケース３６）により形成され、被検体である皮膚表面に接触して押圧を与える突出部としての凸部５２を有しており、この凸部５２の被検体側に突出した頂部５２ｔ１，５２ｔ２が、上述した透光部材５０の第１面５０ａよりも被検体側に位置して被検体と接触する面３０ａの一部となっている。頂部５２ｔ１，５２ｔ２について詳述すると、センサー部４０において、透光部材５０の近傍に位置し被検体（例えば、図８を用いて後述する被験者の手首４１０の皮膚４１１）と接触するケース部３０（ボトムケース３６）の凸部５２の最も皮膚４１１側に位置する第１の部位が頂部５２ｔ１であり、透光部材５０を挟んで凸部５２の第１の部位である頂部５２ｔ１の反対側に位置する凸部５２の最も皮膚４１１側に位置する第２の部位が頂部５２ｔ２となっている。これにより、図８に示すように、透光部材５０の第１面５０ａに被験者の手首４１０の皮膚４１１を接触させた生体情報測定装置（センサー部４０）の装着状態において、透光部材５０の第１面５０ａよりも、ケース部３０（ボトムケース３６）の皮膚４１１と接触する面３０ａが凸部５２の頂部５２ｔ１，５２ｔ２において皮膚４１１により強く押圧されることにより、センサー部４０と被検体としての被験者の皮膚４１１との接触状態を安定的に保持することが可能になる。
【００６０】
発明者らは、両端が開放端である単純梁の両端支持における撓み量を求める下記式（２）に基づいて、被検体としての皮膚（図８において被験者の手首４１０の皮膚４１１）の受光部１４０側（図８において透光部材５０の第１面５０ａから第２面５０ｂへ向かう方向）への変形量を求め、センサー部４０と対象物との接触状態を適切、且つ、安定して保持できる好適な状態に設定可能とすることを見出した。具体的には、ケース部３０（ボトムケース３６）の凸部５２において幅寸法Ｌで幅方向に位置する二つの頂部５２ｔ１，５２ｔ２を両端の支持部としたとき、皮膚４１１の頂部５２ｔ１，５２ｔ２側から透光部材５０側（図６において「受光部１４０側」）への変形量と、透光部材５０の第２面５０ｂから頂部５２ｔ１，５２ｔ２までの距離と第２面５０ｂから第１面５０ａまでの距離との差Δｈとの相関によって好適に設定することができる。
【００６１】
【数２】
2017189415.tif 000004
ｗ：全荷重、Ｅ：ヤング率、Ｉ：断面二次モーメント、ｌ：支持部間の距離
【００６２】
より具体的には、上記式（２）において、被験者の皮膚４１１を両端開放端の梁とみなし、ケース部３０（ボトムケース３６）の凸部５２の幅方向の二つの頂部５２ｔ１，５２ｔ２を支持部としたときの両端支持梁（単純梁）の撓み量（δｍａｘ）を、透光部材５０の第２面５０ｂから第１面５０ａまでの距離と、第２面５０ｂから凸部５２の頂部５２ｔ１，５２ｔ２までの距離との差Δｈとする。このΔｈについて換言すれば、Δｈは、透光部材５０の被験者との接触面である第１面５０ａと、ケース部３０の被験者に接触する面３０ａのうち透光部材５０近傍において最も被験者の皮膚４１１側に突出した部分である頂部５２ｔ１，５２ｔ２との差であり、透光部材５０の第１面５０ａよりも、ケース部３０の被験者に接触する面３０ａのうち、最も被験者の皮膚４１１側に突出する凸部５２の頂部５２ｔ１，５２ｔ２が被検者の皮膚４１１側にΔｈだけ突出しているということができる。
【００６３】
ここで、全荷重ｗを、皮膚４１１が透光部材５０の皮膚４１１との接触面である第１面５１ａ、および、ケース部３０の皮膚４１１と接触する面３０ａに押し付けられる圧力であり、必要な圧力である４ＫＰａ〜１２ＫＰａから適宜選定し、ヤング率Ｅおよび断面二次モーメントＩを、被験者（人間）の肌を対象とした係数とすることにより、ｗ／ＥＩを係数ａとすることができる。また、支持部間の距離を、ケース部３０（ボトムケース３６）の凸部５２の幅方向（図中Ｘ軸方向）の二つの頂部５２ｔ１，５２ｔ２間の距離（以下、「幅寸法Ｌ」という）とする。これらから、透光部材５０の第２面５０ｂから頂部５２ｔ１，５２ｔ２までの距離と第２面５０ｂから第１面５０ａまでの距離との差Δｈを、ケース部３０（ボトムケース３６）の幅寸法Ｌと係数ａとにおいて規定することができ、下記式（３）が求められる。そして、差Δｈを、式（３）で表されるような構成とすることにより、被験者の皮膚４１１を経由した光を受光部１４０が的確に受光することが可能なセンサー部４０と対象物との接触状態を、適切、且つ、安定して保持できる好適な状態に設定できることを見出した。
【００６４】
上述の構成によれば、センサー部４０において、透光部材５０の近傍に位置し被検体（図８における被験者の手首４１０の皮膚４１１）と接触するケース部３０（ボトムケース３６）の凸部５２の第１の部位としての頂部５２ｔ１と、透光部材５０を挟んで凸部５２の第１の部位である頂部５２ｔ１の反対側に位置する第２の部位としての凸部５２の頂部５２ｔ２との距離をＬとしたとき、透光部材５０の第２面５０ｂから第１面５０ａまでの距離と、第２面５０ｂから上述の第１の部位および第２の部位である凸部５２の頂部５２ｔ１，５２ｔ２までの距離との差Δｈは、以下の式（３）で表される範囲に構成されることが好ましい。なお、式（３）中の「０．０１」および「０．００６」は、上述した係数ａに相当する定数であり、経験的に求められる係数である。
【００６５】
【数３】
2017189415.tif 000005
【００６６】
図６に示されているように、透光部材５０の第１面５０ａおよびケース部３０（ボトムケース３６）の面３０ａにより構成されたセンサー部４０における対象物（被検体）との接触面において、ケース部３０（ボトムケース３６）の透光部材５０近傍に形成された凸部５２の頂部５２ｔ１，５２ｔ２は、透光部材５０の第１面５０ａよりも、Δｈだけ被検体側に突出した構成とすることが好適である。ここで、第１の部位としての頂部５２ｔ１と、第２の部位としての頂部５２ｔ２との距離Ｌ（幅寸法Ｌ）としたとき、差Δｈが、上式（３）で表される範囲に構成されることにより、対象物（被験者の皮膚４１１）を経由した光を受光部１４０が的確に受光することが可能なセンサー部４０と対象物（皮膚４１１）との接触状態を、適切、且つ、安定した状態に保持することが可能となる。
【００６７】
加えて、受光部１４０と発光部１５０とを結ぶ方向（図中Ｘ軸方向）における２つの頂部５２ｔ１，５２ｔ２間の幅寸法Ｌを、３．０ｍｍ≦Ｌ＜４．５ｍｍとすることにより、日常生活において携帯性を損ねることなく、的確な生体情報を取得することが可能なセンサー部４０を得ることができることを見出した。以下に詳細を説明する。
【００６８】
センサー部４０の測定対象物である皮膚４１１、例えば注目すべき対象物の一例としての血管は皮膚下０．３ｍｍ程度にあり、このような対象物からの反射光を受光部１４０が的確に受光するためには、検出窓として機能する透光部材５０の開口寸法である幅寸法Ｌが大きい程有利である。しかしながら、幅寸法Ｌを大きくすることは、生体情報測定モジュールの平面方向の面積が大きくなってしまうことになり、携帯性を損ねることになる。例えば、幅寸法Ｌが４．５ｍｍを超えるとセンサー部４０が大きくなり過ぎ、運動時の衝撃などでセンサー部４０がずれ動いてしまうなど装着に係る違和感を生じ、携帯性を損ねてしまう虞がある。
一方、幅寸法Ｌが小さすぎると、受光部１４０における対象物である皮膚４１１からの反射光を受ける受光面積が小さくなり、測定に必要な光量を十分に受光することが困難になる。このような要因により、例えば幅寸法Ｌを３．０ｍｍ以上確保しないと、この血管からの反射光を受光部において的確に受光することができない。
【００６９】
発明者らは鋭意確認、検証を行い、上述の式（３）における透光部材５０の第２面５０ｂから頂部５２ｔまでの距離と第２面５０ｂから第１面５０ａまでの距離との差Δｈに加えて、ケース部３０（ボトムケース３６）の凸部５２の第１の部位としての頂部５２ｔ１と、透光部材５０を挟んで凸部５２の第１の部位である頂部５２ｔ１の反対側に位置する第２の部位としての凸部５２の頂部５２ｔ２との距離Ｌ（上述の幅寸法Ｌ）の好適な構成について見出した。具体的には、幅寸法Ｌは、３．０ｍｍ≦Ｌ＜４．５ｍｍであることが好ましく、幅寸法Ｌを、４．０ｍｍ≦Ｌ＜４．５ｍｍとすることがさらに好適である。
【００７０】
上述した第２面５０ｂから頂部５２ｔまでの距離と第２面５０ｂから第１面５０ａまでの距離との差Δｈ、および幅寸法Ｌの構成に係る検証結果を、図９の表１〜表５に示す。表１〜表５では、椅子に着席した被験者の手首に装着したセンサー部を、１分間、一定の周期で振り、受光部１４０で取得した脈信号と体動アーチファクトのパワーの比で評価した。なお、この脈信号と体動アーチファクトのパワーの比を、以下では「ＳＮ比」として説明する。図９の表１〜表５では、評価結果として、ＳＮ比が１以上を「好適（◎）」、ＳＮ比が０．５〜１を「適（○）」、ＳＮ比が０．５以下ではあるが脈信号としての判別が可能を「可（△）」、脈信号としての判別ができない測定不可を「不可（×）」としている。
【００７１】
図９の表１〜表５に示すように、距離（幅寸法）Ｌが、６．０ｍｍ、５．０ｍｍ、４，５ｍｍ、４．０ｍｍ、３．０ｍｍには、評価結果の「好適（◎）」が見られる。このときの式（３）における係数ａの値は、０．０１０≦ａ≦０．０７８となっている。同様に、評価結果が「適（○）」における係数ａの値は、０．００８≦ａ≦０．０８４となっている。このような評価結果に基づいて、幅寸法Ｌの好適な範囲、および好ましい範囲として規定することができる。しかしながら、幅寸法Ｌは、６．０ｍｍ、および５．０ｍｍにおいて「好適（◎）」と判定した範囲が存在するが、幅寸法Ｌが４．５ｍｍを超えると前述したように携帯性を損ねることになる。したがって、好適に適用可能な幅寸法Ｌは、３．０ｍｍ≦Ｌ＜４．５ｍｍとなる。このように幅寸法Ｌを、３．０ｍｍ≦Ｌ＜４．５ｍｍとすることにより、運動時も含めた日常生活において携帯性を損ねることなく、的確な生体情報を取得することが可能なセンサー部４０とすることが可能となる。
【００７２】
ただし、幅寸法Ｌが４．５ｍｍを超えた場合でも、幅寸法Ｌが５．０ｍｍ以下であれば、生体情報測定装置の平面方向の面積が大きくなってしまうことにより装着時に違和感が生じるなどの携帯性の悪化を感じることがないことを発明者は確認した。また、図９の表２〜表４に示すように、幅寸法Ｌが、４．０ｍｍ≦Ｌ≦５．０ｍｍの範囲にあるとき、上述したΔｈを、０．１５ｍｍ≦Δｈ≦０．１７ｍｍとすることにより、日常生活において携帯性を損ねることなく、「好適（◎）」と判定できる的確な生体情報を取得することが可能であることを発明者は見出した。
【００７３】
なお、図９の表３に示すように、幅寸法Ｌが４．５ｍｍでは、「好適（◎）」と判定できる範囲をさらに広くすることができることから、幅寸法Ｌを、４．５ｍｍ近傍の範囲とすることで、さらに好適に測定を行い易くなる。しかしながら、上述したように幅寸法Ｌが４．５ｍｍを超えると携帯性を損ねることになるため、４．０ｍｍ≦Ｌ＜４．５ｍｍの範囲とすることが、さらに好ましいと言える。このような範囲に幅寸法Ｌを設定することにより、携帯性を維持しつつ、さらに生体情報の的確な測定を行うことが容易となる。
また、表３に示すように、幅寸法Ｌが４．５ｍｍでは、「好適（◎）」と判定できる範囲における差（高さの差）Δｈの値は、０．０５５ｍｍ≦Δｈ≦０．３１４ｍｍとなっている。したがって、幅寸法Ｌが、機器の携帯性を損ねない上限の４．５ｍｍであるとき、好適に適用可能な差Δｈとして、０．０５≦Δｈ≦０．３ｍｍの範囲に設定することにより、運動時も含めた日常生活において携帯性を損ねることなく、的確な生体情報を取得することが可能なセンサー部４０とすることが可能となる。
【００７４】
また、図７に示すセンサー部において、支持部となる基板１６０（センサー基板）の支持面１６０ａには、図示しない制御部と電気的に接続される接続端子２７４が設けられている。接続端子２７４は、電気的な接続を取るための端子であり、金属層、例えば銅（Ｃｕ）層に金（Ａｕ）メッキを施すことによって形成することができる。このような接続端子２７４を基板１６０に設けることにより、支持部と、例えば制御部などとをコンパクトに接続することが可能となる。
【００７５】
また、壁部７０または第２壁部７２の少なくとも受光部１４０側の面には、反射抑制加工を行ってもよい。例えば、壁部７０の表面（内側面等）の色を、黒色等の所定色にして、光の乱反射を防ぐようにする。或いは、壁部７０の表面をモスアイ構造にしてもよい。例えば数十〜数百ｎｍ周期の凹凸構造を表面に形成して、反射防止構造とする。このような反射抑制加工をすれば、例えば壁部７０の表面での反射光が迷光となって、検出信号のノイズ成分となってしまう事態を効果的に抑制できる。
【００７６】
前述でも述べたが、受光部１４０、発光部１５０、および壁部７０は、基板１６０に実装される。基板１６０は、例えばリジッド基板である。基板１６０には、受光部１４０の信号・電源の端子（図示せず）と接続するための端子（図示せず）や、外部のメイン基板との間で信号・電源を接続するための端子（図示せず）が設けられている。例えば受光部１４０の端子と基板１６０の端子とは、ワイヤボンディング等により接続される。このように、受光部１４０、発光部１５０、および壁部７０などが、基板１６０に実装（支持）されていることにより、発光部１５０および受光部１４０と測定対象物との距離が短くなり、光に混入するノイズを減少させることができ、測定精度を向上させることが可能となる。
【００７７】
また、図６に示すように、センサー部４０には絞り部８０ａ，８０ｂが設けられていてもよい。絞り部８０は、被検体とセンサー部４０の間の光路において、被検体からの光を絞ったり、発光部１５０からの光を絞ったりする。図６では、絞り部８０ａ，８０ｂは、ケース部３０（ボトムケース３６）と発光部１５０の間に設けられている。但し、絞り部８０ａ，８０ｂを透光部材５０と発光部１５０との間や、透光部材５０内に設けてもよい。
【００７８】
図６に示す透光部材５０は、生体情報測定装置の被検体に接触する側の面に設けられ、被検体からの光を透過する。また透光部材５０は、被検体の生体情報の測定時に、被検体に接触する。透光部材５０は、ケース部３０により形成される凸部５２に設けられた検出窓として被検体に接触する。なお、透光部材５０の被検体との接触面である第１面５０ａの表面形状は、本実施形態で平坦面であるが、これに限定されるものではなく、例えば曲面形状（球面形状）など、種々の形状を採用できる。また、透光部材５０は、被検体からの光の波長を透過することができるものであればよく、透明な材料を用いてもよいし、有色の材料を用いてもよい。
【００７９】
透光部材５０において被検体に接触する側の第１面５０ａの裏側の第２面５０ｂに、凹部５６を有している。この凹部５６のスペースに、受光部１４０、発光部１５０、壁部７０、絞り部（８０ａ，８０ｂ）が設けられている。
【００８０】
また生体情報測定装置の被検体側の面において、検出窓としての透光部材５０を有する凸部５２は、ケース部３０（ボトムケース３６）の被検体と接触する面３０ａの一部であって、他の部分よりも被検体側に突出している。このような凸部５２を設けることで、例えば静脈消失点を超えるための初期押圧を被検体に対して与えることが可能になる。ここで静脈消失点とは、被検体に凸部５２を接触させ押圧を次第に強くした時に、脈波信号に重畳された静脈に起因する信号が消失、または脈波測定に影響しない程度に小さくなる点のことである。
【００８１】
上述した実施形態の構成によれば、センサー部４０において、透光部材５０の近傍に位置し被検体と接触するケース部３０（ボトムケース３６）の凸部５２の第１の部位としての頂部５２ｔ１と第２の部位としての凸部５２の頂部５２ｔ２との距離Ｌ（幅寸法Ｌ）と、透光部材５０の第２面５０ｂから第１面５０ａまでの距離と、第２面５０ｂから上述の第１の部位および第２の部位である凸部５２の頂部５２ｔ１，５２ｔ２までの距離との差Δｈの関係を上述の式（３）の関係に規定することにより、測定の対象物（例えば、皮膚４１１や図示しない血管）を経由した光を受光部１４０が的確に受光することが可能な対象物とセンサー部４０との接触状態を、適切、且つ、安定して保持することができることから、例えば脈波などの生体情報を正確に取得することが可能となる。また、日常生活や激しい運動などを行った場合などにおいても携帯性を損ねることなく、的確な生体情報を取得することが可能な生体情報測定モジュールとしてのセンサー部４０を得ることが可能となる。
【００８２】
なお、本発明は上述した実施形態に限定されず、上述した実施形態に種々の変更や改良などを加えることが可能である。変形例を以下に述べる。
【００８３】
（変形例１）
図１０は、生体情報測定装置の変形例１に係るセンサー部を模式的に示す正断面図である。
上記実施形態では、図６のように、生体情報測定装置のセンサー部４０における対象物（被検体）との接触面側に、対象物である皮膚表面に接触して押圧を与える突出部としての凸部５２を有し、その凸部５２が、ケース部３０（ボトムケース３６）の透光部材５０近傍に形成された構成であるものとして説明したが、この構成に限定するものではない。
以下、変形例１に係るセンサー部４０Ｂについて説明する。なお、上記実施形態と同一の構成部位については、同一の番号を附し、重複する説明は省略する。
【００８４】
図１０に示す本変形例の生体情報測定装置のセンサー部４０Ｂは、被検体からの光を透過し、被検体と接触する第１面５０Ｂａを有する透光部材５０Ｂと、この透光部材５０Ｂを有し、被検体と接触する面３０Ｂａを有するケース部３０Ｂとを備えている。透光部材５０Ｂは、その第１面５０ａ側に、被検体側の皮膚表面に接触して押圧を与える凸部５２Ｂを有している。凸部５２Ｂの表面形状は、図１０に示すような曲面形状（球面形状）であることが望ましいが、これに限定されるものではなく、種々の形状を採用できる。
【００８５】
ケース部３０Ｂの透光部材５０Ｂ近傍の部分は、上述の凸部５２Ｂを含めた透光部材５０Ｂの第１面５０Ｂａ側の形状に沿った形状を有し、凸部５２Ｂの中央部の第１面５０Ｂａを露出させる開口部が形成されている。このケース部３０Ｂの開口部は、センサー部４０Ｂによる被検体の生体情報測定における検出窓として機能する。また、開口部の縁部を形成するケース部３０Ｂの最も厚い部分である頂部５２ｔ１，５２ｔ２は、透光部材５０Ｂの凸部５２Ｂの第１面５０Ｂａよりも被検体側例えば被験者の皮膚側に突出している。これにより、生体情報測定装置（センサー部４０Ｂ）の被検体（被験者）への装着状態において、透光部材５０Ｂの凸部５２Ｂの第１面５０Ｂａよりも、ケース部３０Ｂの皮膚４１１と接触する面３０Ｂａが頂部５２ｔ１，５２ｔ２において皮膚により強く押圧されることにより、センサー部４０Ｂと被検体としての被験者の皮膚との接触状態を安定的に保持することが可能になる。
【００８６】
なお、本変形例のセンサー部４０Ｂの構成においても、上記実施形態のセンサー部４０と同様に、上述したケース部３０Ｂの開口部の幅であって第１の部位としての頂部５２ｔ１と第２の部位としての頂部５２ｔ２との間の距離（幅寸法）Ｌ、および、透光部材５０Ｂの第２面５０Ｂｂから頂部５２ｔ１，５２ｔ２の直下の第１面５０Ｂａまでの距離と、第２面５０Ｂｂから頂部５２ｔ１，５２ｔ２までの距離との差（頂部５２ｔ１，５２ｔ２と各々の直下の透光部材５０Ｂの第１面５０Ｂａとの距離）Δｈは、上式（３）で表される範囲に構成されることが好ましい。
また、本変形例のセンサー部４０Ｂにおいても、上記実施形態で述べたセンサー部４０と同様に、ケース部３０Ｂの開口部の幅である頂部５２ｔ１と頂部５２ｔ２との距離である幅寸法Ｌは、３．０ｍｍ≦Ｌ＜４．５ｍｍであることが好ましく、幅寸法Ｌが、機器の携帯性を損ねない上限の４．５ｍｍであるとき、好適に適用可能な差Δｈとして、０．０５≦Δｈ≦０．３ｍｍの範囲に設定することにより、運動時も含めた日常生活において携帯性を損ねることなく、的確な生体情報を取得することが可能なセンサー部４０Ｂとすることが可能となる。
【００８７】
（変形例２）
図１１は、生体情報測定装置の変形例２に係るセンサー部を模式的に示す正断面図である。
上記実施形態および変形例１では、図６および図１０のように、生体情報測定装置のセンサー部４０，４０Ｂにおける対象物（被検体）との接触面側に、対象物である皮膚表面に接触して押圧を与える突出部としての凸部５２，５２Ｂを有する構成であるものとして説明したが、これらの構成に限定するものではない。
以下、変形例２に係るセンサー部４０Ｃについて説明する。なお、上記実施形態と同一の構成部位については、同一の番号を附し、重複する説明は省略する。
【００８８】
図１１に示すように、変形例２に係る生体情報測定装置のセンサー部４０Ｃは、被検体からの光を透過し、被検体と接触する第１面５０Ｃａを有する透光部材５０Ｃと、この透光部材５０Ｃを有し、被検体と接触する面３０Ｃａを有するケース部３０Ｃとを備えている。本変形例の透光部材５０Ｃは、第１面５０Ｃａと、向かい合う第２面５０Ｃｂとが略平行な平板状の形状を有している。
【００８９】
ケース部３０Ｃの透光部材５０Ｃ近傍の部分は、透光部材５０Ｃの第１面５０Ｃａに沿った形状を有し、透光部材５０Ｃの中央部の第１面５０Ｃａを露出させる開口部が形成されている。このケース部３０Ｃの開口部は、センサー部４０Ｃによる被検体の生体情報測定における検出窓として機能する。また、開口部の縁部を形成するケース部３０Ｃの被検体と接触する面３０Ｃａは、透光部材５０Ｃの第１面５０Ｃａよりも被検体側（例えば被験者の皮膚側）に位置している。
【００９０】
本変形例の構成によれば、上記実施形態および変形例１のように、凸部５２，５２Ｂを有していない構成であっても、生体情報測定装置（センサー部４０Ｃ）の被検体（被験者）への装着状態において、透光部材５０Ｃの第１面５０Ｃａよりも、ケース部３０Ｃの皮膚と接触する面３０Ｃａが上述した開口部の縁部（ケース部３０Ｃの開口部における透光部材５０Ｃを挟んだ第１の部位と第２の部位）において皮膚により強く押圧されることにより、センサー部４０Ｃと被検体としての被験者の皮膚との接触状態を安定的に保持することが可能になる。
なお、変形例２のセンサー部４０Ｃの構成においても、上記実施形態のセンサー部４０と同様に、上述したケース部３０Ｃの開口部の幅Ｌ（幅寸法Ｌ）、および、透光部材５０Ｃの第２面５０Ｃｂから第１面５０Ｃａまでの距離と、第２面５０Ｃｂからケース部３０Ｃの第１面３０Ｃａまでの距離との差（ケース部３０Ｃの開口部の縁部近傍における透光部材５０Ｃの第１面５０Ｃａからケース部３０Ｃの被検体と接触する面３０Ｃａまでの距離）Δｈは、上式（３）で表される範囲に構成されることが好ましい。
また、ケース部３０Ｃの開口部の幅である幅寸法Ｌは、３．０ｍｍ≦Ｌ＜４．５ｍｍであることが好ましく、幅寸法Ｌが、機器の携帯性を損ねない上限の４．５ｍｍであるとき、好適に適用可能な差Δｈとして、０．０５≦Δｈ≦０．３ｍｍの範囲に設定することにより、運動時も含めた日常生活において携帯性を損ねることなく、的確な生体情報を取得することが可能なセンサー部４０Ｃとすることが可能となる。
【００９１】
（変形例３）
図１２は、生体情報測定装置の変形例３に係るセンサー部を模式的に示す部分断面図である。
以下、変形例３に係るセンサー部について説明する。なお、上記実施形態と同一の構成部位については、同一の番号を附し、重複する説明は省略する。
【００９２】
本変形例に係るセンサー部は、図示はしないが、上記実施形態および変形例１，２のいずれかの構成の透光部材およびその透光部材を有するケース部を備えており、測定装置の装着状態において、測定の対象物（被検体）を経由した光を受光部が的確に受光することが可能な対象物とセンサー部との接触状態を、適切、且つ、安定して保持して、生体情報を正確に取得することが可能になっている。それを前提として、以下、本変形例におけるセンサー素子の配置や基板への搭載方法等について説明する。
【００９３】
図１２において、変形例３のセンサー部（光検出ユニット）は、基板１６０Ａ（センサー基板）に実装された発光部１５０と、受光部１４０と、発光部１５０および受光部１４０の間に配置された遮光部としての壁部７０とを有する。発光部１５０は、上記実施形態では説明を省略した構成を含む。即ち、発光部１５０は、レンズ１５１と、発光部１５０の台座となる台座部１５５とを含む。
【００９４】
生体情報等を検出する生体情報測定装置では、光検出ユニットにおいて高品位の信号を検出する必要がある。そしてそのためには、高性能な発光部（例えばＬＥＤ）を用いることが有効である。発光部の性能評価の観点は種々考えられるが、例えば、輝度が高く、光束角度が狭いものを想定することができる。このような発光部であれば、強い光をより限定された範囲に対して照射するため、例えば生体等で反射された反射光の強度も強くなり、結果として受光部で受光する光の強度を強くすることが可能である。しかし、このような発光部は、比較的性能の低い発光部に比べてサイズが大きくなってしまうため、光検出ユニットを小型化できないという課題が生じ、生体情報測定装置の携帯性を損ねてしまう虞がある。
【００９５】
そこで、本変形例の光検出ユニットは、基板１６０Ａの発光部１５０の配置位置には、台座部１５５よりもひと回り小さい穴部１６９が設けられ、発光部１５０は、基板１６０の穴部１６９に取り付けられている。
【００９６】
本変形例の構成によれば、穴部１６９の深さに相当する分だけ発光部１５０の高さを吸収できる。そのため、光検出ユニット自体の厚み（高さ）を抑えることで小型化が可能になるとともに、発光部１５０と受光部１４０との高さの差異も小さくすることが可能である。したがって、携帯性を損ねることなく、高性能な発光部１５０を用いることによって高品位の信号を検出し、より精度の高い生体情報を測定することが可能な小型の生体情報測定装置の提供に供することができる。
【００９７】
（変形例４）
図１３は、生体情報測定装置の変形例４にかかるセンサー部を模式的に示す斜視図である。
以下、変形例４に係る生体情報測定装置について説明する。なお、上記実施形態と同一の構成部位については、同一の番号を附し、重複する説明は省略する。例えば、本変形例に係るセンサー部においても、図示はしないが、上記実施形態および変形例１，２のいずれかの構成の透光部材およびその透光部材を有するケース部を備えており、対象物とセンサー部との接触状態を、適切、且つ、安定して保持して、生体情報を正確に取得することが可能になっていることを前提として、以下、本変形例におけるセンサー素子の配置や基板への搭載方法等について説明する。
【００９８】
図１３において、変形例４に係る生体情報測定装置のセンサー部（光検出ユニット）は、生体情報として心拍数を監視する心拍数監視装置のセンサー部として説明する。変形例４に係る生体情報測定装置としての心拍数監視装置１０２０（センサー部）は、図１３では図示していないが、前述の実施形態１と同様に、バンドなどの固定部によって、ユーザーの腕に装着される。
【００９９】
変形例４に係る心拍数監視装置１０２０（センサー部）は、複数（本例では二つ）の発光部としての発光素子１２２１，１２２３と、一つの受光部としての受光素子１２２２とが、一列に並び配置されている。具体的には、少なくとも二つのセンサーエレメントを備えたセンサー１０２２（本例では、三つのセンサーエレメントとして、第１の発光部および第２の発光部としての二つの発光素子１２２１，１２２３と、受光部としての受光素子１２２２とを用いている）を有している。なお、図示しないが、受光素子１２２２と発光素子１２２１との間、および受光素子１２２２と発光素子１２２３との間に、上述した実施形態および変形例と同様の構成の遮光部としての壁部を備えていることが望ましい。
【０１００】
そして、第１の発光部および第２の発光部としての二つの発光素子１２２１，１２２３の間に受光部としての受光素子１２２２が配置されている。また、第１の発光部および第２の発光部としての二つの発光素子１２２１，１２２３は、受光部としての受光素子１２２２の中心を通る仮想線に対して線対称の位置に配置されている。発光素子１２２１，１２２３および受光素子１２２２を、このような配置とすることにより、デッドスペースが減少し、省スペース化を図ることができる。また、線対称位置にある第１の発光部、および第２の発光部を併せた光が受光部に集まり、より正確な検出を行うことができる。
【０１０１】
センサーエレメントは、センサー信号を検出する。センサー１０２２は、ユーザーの皮膚に対して発光するための二つのＬＥＤを用いた発光素子１２２１，１２２３から成る光学センサーと、皮膚から反射した光を受信するための少なくとも一つの受光素子１２２２（フォトダイオード）とを備えている。さらに、心拍数監視装置１０２０は、ケース部またはハウジング（図示せず）を有している。ケース部またはハウジングは、例えば、上述の実施形態における透光部材５０を有するケース部３０と類似、あるいは同一とすることが望ましい。
【０１０２】
そして、センサー１０２２は、キャリア（基板）１０２６の一面に担持されている。ここで、キャリア（基板）１０２６と、キャリア（基板）１０２６上に担持されたセンサー１０２２とを含む構成が生体情報測定モジュールに該当する。なお、以下の変形例５においても同様である。発光素子１２２１，１２２３から射出された光は、皮膚などに吸収されずに反射され、受光素子１２２２に直接到達することができる。心拍数監視装置１０２０において、キャリア１０２６と発光素子１２２１，１２２３の上面１２２１ａ，１２２３ａとの間の距離は、キャリア１０２６と受光素子１２２２の上面１２２２ａとの間の距離より小さい。即ち、キャリア１０２６と発光素子１２２１，１２２３の上面１２２１ａ，１２２３ａとの間の距離と、キャリア１０２６と受光素子１２２２の上面１２２２ａとの間の距離との差が、Δｔである。そして、受光素子１２２２は、一番上の表層であるその上面１２２２ａから光を受信する。それらの構成によれば、発光素子１２２１，１２２３から射出された光の大部分は皮膚に向かい、反射光は、空気層などの介入なしに直接受光素子１２２２に入射される効果がある。換言すれば、受光素子１２２２が皮膚に密着する構造であるため、受光素子１２２２の上面（受光面）１２２２ａと皮膚との間に隙間が生じにくい構造とすることができ、これにより外光などのノイズ源となる光が上面１２２２ａに入射することを抑制することができる。また、皮膚を通過しない発光素子１２２１，１２２３からの光、例えば発光素子１２２１，１２２３から直接受光素子１２２２に入射する光は、受光素子１２２２の上面１２２２ａに到達することができない。
【０１０３】
（変形例５）
次に、図１４を参照して変形例５に係る生体情報測定装置としての心拍数監視装置１０３０（センサー部）について説明する。図１４は、生体情報測定装置の変形例５に係るセンサー部を模式的に示すものであり、生体情報測定装置としての心拍数監視装置のセンサー部を示す断面図である。なお、本変形例に係る生体情報測定装置としての心拍数監視装置１０３０は、図１４では図示していないが、前述の実施形態と同様に、バンドなどの固定部によって、ユーザーの腕に装着される。また、本変形例に係るセンサー部においても、図示はしないが、上記実施形態および変形例１，２のいずれかの構成の透光部材およびその透光部材を有するケース部を備えており、対象物とセンサー部との接触状態を、適切、且つ、安定して保持して、生体情報を正確に取得することが可能になっていることを前提として、以下、本変形例におけるセンサー素子の配置や基板への搭載方法等について説明する。
【０１０４】
図１４に示すように、発光部としての発光素子１２２１，１２２３および受光部としての受光素子１２２２の電気的接続端子１０３４は、電気的要素の保護のために絶縁性材料（例えばエポキシ樹脂）１０３２で、好ましくは覆われていなければならない。また、絶縁性材料１０３２が発光素子１２２１，１２２３や受光素子１２２２を覆わないように構成することができる。具体的には、発光素子１２２１と受光素子１２２２との間の領域、発光素子１２２３と受光素子１２２２との間の領域を絶縁性材料１０３２で埋めるように構成することができる。換言すれば、少なくとも受光素子１２２２の上面１２２２ａ、発光素子１２２１，１２２３の上面１２２１ａ，１２２３ａが絶縁性材料１０３２に覆われないように構成することができる。このように構成することで、皮膚と発光素子１２２１，１２２３との間のエアギャップによる妨害を抑制することができる。さらに、絶縁性材料１０３２が発光素子１２２１，１２２３の上面１２２１ａ，１２２３ａや受光素子１２２２の上面１２２２ａを覆うように構成しても良い。このように構成することで、皮膚と接触する受光素子１２２２の上面１２２２ａや、発光素子１２２１，１２２３の上面１２２１ａ，１２２３ａを保護することができるので、受光素子１２２２の上面１２２２ａや、発光素子１２２１，１２２３の上面１２２１ａ，１２２３ａの損傷を防ぐことができる。この場合、絶縁性材料１０３２は保護膜とみなすこともできる。
【０１０５】
本変形例５に係る生体情報測定装置としての心拍数監視装置１０３０（センサー部）では、一般に可能性がある実施例として、エポキシ樹脂を用いた絶縁性材料１０３２を設けている。図１４においては、絶縁性材料１０３２は、発光素子１２２１，１２２３の上面１２２１ａ，１２２３ａを覆うことなく配置され、電気的接続端子１０３４を保護する。発光素子１２２１，１２２３から射出されている光は、矢印にて表される。
【０１０６】
このように、絶縁性材料１０３２の配置は、心拍数監視装置１０３０の正しい機能を妨げない程度の最小限で行うことにより、発光素子１２２１，１２２３および受光素子１２２２の電気的接続端子１０３４を保護することで、この心拍数監視装置１０３０は更に改良されることができる。さらに、心拍数監視装置１０３０は、ケース部またはハウジング（図示せず）を有しており、そのケース部またはハウジングは、例えば、上述の実施形態における透光部材５０を有するケース部３０と類似、あるいは同一とすることが望ましい。
【０１０７】
（変形例６）
図１５は、生体情報測定装置の変形例６に係るセンサー部を模式的に示す部分断面図である。
以下、変形例６に係る生体情報測定装置のセンサー部について説明する。なお、上記実施形態と同一の構成部位については、同一の番号を附し、重複する説明は省略する。また、本変形例に係るセンサー部においても、図示はしないが、上記実施形態および変形例１，２のいずれかの構成の透光部材およびその透光部材を有するケース部を備えており、対象物とセンサー部との接触状態を、適切、且つ、安定して保持して、生体情報を正確に取得することが可能になっていることを前提として、以下、本変形例におけるセンサー素子の配置等について説明する。
【０１０８】
図１５に示す本変形例の生体情報測定装置のセンサー部は、被検体からの光を受光する第１の受光部１４０と、被検体からの光を受光する第２の受光部１４１と、被検体に対して光を射出する１つの発光部１５０とを含む。また、本変形例のセンサー部は、第１の受光部１４０、第２の受光部１４１、および発光部１５０よりも被検体側の位置に設けられ、被検体からの光を透過して、且つ、被検体の生体情報の測定時に被検体に接触して押圧を与える凸部５２Ｂを含む透光部材５０Ｂを含む。本変形例では、図１０に示す変形例１の凸部５２Ｂを含む透光部材５０Ｂ、および、透光部材５０Ｂを有するケース部３０Ｂと同じ構成であるものとして説明する。よって、本変形例の生体情報測定装置は、変形例１の透光部材５０Ｂおよびケース部３０Ｂ（図１０を参照）を有する生体情報測定装置により得られる効果に加えて、以下に説明する構成による効果を得ることができる。
なお、図１５では、各構成を判りやすく説明する便宜上、生体情報検出装置の構成、特に、凸部５２Ｂを含む透光部材５０Ｂを模式的に示しており、図中の寸法比率は実際のものとは異なる。
【０１０９】
生体情報測定装置から被検体への方向（図中、発光部１５０および第１および第２の受光部１４０，１４１から透光部材５０Ｂに向かう方向）において、透光部材５０Ｂのうち第１の受光部１４０に対応する位置または領域での高さをｈ１とし、透光部材５０Ｂのうち第２の受光部１４１に対応する位置または領域での高さをｈ２とした場合、ｈ１＞ｈ２である。
【０１１０】
この際、生体情報測定装置は、第１の受光部１４０で検出された第１の検出信号に基づいて、被検体の生体情報を演算する処理部（不図示、上記実施形態では図５の処理部２００）を含んでもよい。このようにすれば、第１の受光部１４０からの第１の検出信号を用いて、脈拍等の生体情報の演算を行うことが可能になる。
【０１１１】
本変形例の生体情報測定装置において、発光部１５０と第１の受光部１４０との距離をＬ１とし、発光部１５０と第２の受光部１４１との距離をＬ２とした場合に、Ｌ１＜Ｌ２である。処理部（不図示）は、第２の受光部１４１で検出された第２の検出信号に基づいて、第１の受光部１４０で検出された第１の検出信号の体動ノイズを低減する体動ノイズ低減処理を行い、体動ノイズ低減処理後の第１の検出信号に基づいて、生体情報を演算する。
【０１１２】
このようにすれば、各受光部（第１の受光部１４０、第２の受光部１４１）に対応する位置又は領域での高さと、各受光部（第１の受光部１４０、第２の受光部１４１）と発光部１５０間の距離の少なくとも一方に差を設けることで、上述したように、第１の受光部１４０において主として脈信号を検出し、第２の受光部１４１において主として体動ノイズを検出することが可能になる。そのため、第１の受光部１４０の第１の検出信号に対して、第２の受光部１４１の第２の検出信号を用いた体動ノイズ低減処理を行うことや、体動ノイズ低減処理後の第１の検出信号から精度のよい生体情報を求めること等が可能になる。
【０１１３】
（変形例７）
図１６は、生体情報測定装置の変形例７におけるセンサー部４０Ｄを透光部材側からみて模式的に示す平面図である。
以下、変形例７に係る生体情報測定装置のセンサー部４０Ｄについて説明する。なお、上記実施形態と同一の構成部位については、同一の番号を附し、重複する説明は省略する。また、図示はしないが、本変形例に係るセンサー部においても、上記実施形態および変形例１，２のいずれかの構成の透光部材およびその透光部材を有するケース部を備えており、対象物とセンサー部との接触状態を、適切、且つ、安定して保持して、生体情報を正確に取得することが可能になっていることを前提として、以下、本変形例におけるセンサー素子の配置等について説明する。
【０１１４】
図１６に示す本変形例の生体情報測定装置のセンサー部４０Ｄは、２つの発光部として第１の発光部１５０および第２の発光部１５０Ａと、２つの受光部として第１の受光部１４０および第２の受光部１４１を有する。第１の発光部１５０及び第２の発光部１５０Ａは、第２の受光部１４１とＸ方向に沿う同一直線上に基板１６０Ｄの実装面１６０ａに配置される。換言すれば、第１の発光部１５０の中心と第２の発光部１５０Ａの中心とを結ぶ直線上に第２の受光部１４１を配置し、前記直線の垂線方向に第１の受光部１４０を配置する。このため、第１の受光部１４０から第１の発光部１５０までの距離Ｌ４１と、第２の受光部１４１から第１の発光部１５０までの距離Ｌ５１とが異なる。また、第１の受光部１４０から第２の発光部１５０Ａまでの距離Ｌ４２と、第２の受光部１４１から第２の発光部１５０Ａまでの距離Ｌ５２とが異なる。また、各発光部１５０，１５０Ａと各受光部１４０，１４１との間には遮光部としてのフレーム状の壁部７０Ｄが配置され、各発光部１５０，１５０Ａから射出された光が各受光部１４０，１４１に直接入射されて受光されることを抑制できるようになっている。
【０１１５】
すなわち、上記距離Ｌ４１，Ｌ４２と上記距離Ｌ５１，Ｌ５２とが異なるので、上記と同様に、第１の発光部１５０から射出されて被検体を介して第１の受光部１４０及び第２の受光部１４１に入射される光の光路の長さ、あるいは経路を確実に異ならせることができる。従って、第１の発光部１５０及び第２の発光部１５０Ａが上記位置にそれぞれ配置されることにより、第１の発光部１５０から射出されて検出部位を介して第１の受光部１４０及び第２の受光部１４１に入射される光の光路の長さ、あるいは経路を確実に異ならせることができる。換言すれば、第１の受光部１４０及び第２の受光部１４１では異なる情報を有する光を受光することができる。従って、第１の受光部１４０及び第２の受光部１４１による受光結果を確実に異ならせることができるので、生体情報の検出及び解析精度を確実に向上させることができる。
【０１１６】
なお、本変形例の生体情報測定装置におけるセンサー部４０Ｄにおいて、第１の発光部１５０から射出する光の波長帯と、第２の発光部１５０Ａから射出させる光の波長帯とを異ならせる構成とすることができる。このようにすることにより、例えば、被検体の血管内の第１の物質に反射され易い第１の波長域の光を、第１の発光部１５０および第２の発光部１５０Ａのうちの一方から射出させ、第１の物質とはことなる第２の物質に反射され易い第１の波長域とは異なる第２の波長域の光を、第１の発光部１５０および第２の発光部１５０Ａのうちの他方から射出させるようにすれば、複数（この場合は２つ）の物質に対応する検出値を得ることが可能な生体情報測定装置として提供することができる。
【０１１７】
（変形例８）
図１７は、生体情報測定装置の変形例８におけるセンサー部４０Ｅを模式的に示す正断面図である。
上記実施形態では、発光部１５０から射出された光が、受光部１４０に直接入射されて受光されることを抑制する遮光部としての壁部７０（第１壁部７１、第２壁部７２）を、発光部１５０および受光部１４０が実装された基板１６０の支持面（実装面）１６０ａの発光部１５０と受光部１４０との間に配置したが、これに限定されるものではない。
以下、変形例８に係る生体情報測定装置のセンサー部４０Ｅについて説明する。なお、上記実施形態と同一の構成部位については、同一の番号を附し、重複する説明は省略する。
【０１１８】
図１７において、本変形例のセンサー部４０Ｅは、上記実施形態のセンサー部４０（図６参照）と概ね同じ構成を有している。特に、透光部材５０´と、その透光部材５０´を有するケース部３０（ボトムケース３６）の凸部５２の２つの頂部５２ｔ１，５２ｔ２の距離（幅寸法）Ｌ、透光部材５０´の第２面５０´ｂから第１面５０´ａまでの距離と、第２面５０´ｂから各頂部５２ｔ１，５２ｔ２までの距離との差Δｔなどの各部の形状や寸法関係、および、基板（センサー基板）１６０上に実装された発光部１５０および受光部１４０の位置関係は、図６に示す上記実施形態のセンサー部４０と同一である。上記実施形態のセンサー部４０と、本変形例のセンサー部４０Ｅとの違いは、発光部１５０と受光部１４０との間に配置される遮光部としての壁部５７０が、基板１６０ではなく、透光部材５０´に設けられている点である。本発明における上記実施形態および変形例では、透光部材はケース部の一部位とされているので、本変形例のセンサー部４０Ｅにおける遮光部としての壁部５７０は、ケース部３０に設けられている（固定されている）ということもできる。
【０１１９】
具体的には、本変形例のセンサー部４０Ｅにおいて、壁部５７０は、一端側が透光部材５０´に固定され、他端側が、透光部材５０´の第２面５０´ｂと対向する基板１６０の支持面（実装面）１６０ａに実装された発光部１５０と受光部１４０との間を遮光できる位置に配置されている。図１７における壁部５７０は、上記他端側が、発光部１５０から射出された光が受光部１４０に直接入射して受光されない位置まで延びて、基板１６０の支持面１６０ａとの間には隙間を有している構成を示しているが、これに限られるものではない。例えば、一端側が透光部材５０´に固定された壁部５７０の他端側が、基板１６０の支持面１６０ａに接触していてもよいし、あるいは、基板１６０の支持面１６０ａを座ぐり加工することによって凹部を形成し、この凹部に壁部５７０の他端側の一部を配置させる構成としてもよい。
【０１２０】
本変形例のセンサー部４０Ｅによれば、発光部１５０および受光部１４０を有する検出部（センサー部）を汎用の検出モジュール（センサーモジュール）として構成し、ユニット部品として準備しておくことにより、その汎用モジュールを、遮光部としての壁部５７０が設けられた透光部材５０´を有するケース部３０に組み込むことによって、測定精度の高い生体情報測定装置を構成することができる。
【０１２１】
（変形例９）
図１８は、生体情報測定装置の変形例９におけるセンサー部４０Ｆを模式的に示す正断面図である。
上述の変形例８では、遮光部としての壁部５７０を、基板１６０ではなく透光部材５０´（ケース部３０）側に設ける構成について説明したが、これに限定されない。図１８に示すセンサー部４０Ｆのように、基板１６０の支持面１６０ａの発光部１５０と受光部１４０との間に遮光部としての壁部７０Ａを配置するとともに、ケース部３０（ボトムケース３６）が有する透光部材５０Ａに遮光部５７０Ａを設ける構成としてもよい。透光部材５０Ａに配置する遮光部５７０Ａは、壁部７０Ａの直上であって、発光部１５０から射出された射出光の光路と、被検体からの反射光の光路との境界となる部位に配置する。
【０１２２】
この構成によれば、基板１６０の支持面１６０ａに設けられた壁部７０Ａにより、発光部１５０から射出された光が受光部１４０に直接照射されて受光されることを抑制できるとともに、透光部材５０Ａに設けられた遮光部５７０Ａにより、発光部１５０から被検体に照射される光、および、被検体から受光部１４０に反射される光の光路を光学的に遮蔽し、受光部１４０に被検体からの反射光ではないノイズ光が入射され受光してしまうことを抑制することができる。したがって、高精度にて安定した生体情報を測定することが可能な生体情報測定装置のセンサー部４０Ｆを提供することができる。
【０１２３】
なお、以上のように実施形態および変形例について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報測定モジュール、光検出ユニット、生体情報測定装置等の構成、動作も本実施形態で説明したものに限定されず、種々の変形実施が可能である。
【符号の説明】
【０１２４】
１０…バンド部、１２…バンド穴、１４…バックル部、１５…バンド挿入部、１６…突起部、３０，３０Ｂ，３０Ｃ…ケース部、３０ａ，３０Ｂａ，３０Ｃａ…（被検体と接触する）面、３２…発光窓部、３４…トップケース、３５…端子部、３６…ボトムケース、４０，４０Ｂ，４０Ｃ，４０Ｄ，４０Ｅ，４０Ｆ…センサー部、５０，５０´，５０Ａ，５０Ｂ，５０Ｃ…透光部材、５０ａ，５０Ｂａ，５０Ｃａ…第１面、５０ｂ，５０Ｂｂ，５０Ｃｂ…第２面、５２，５２Ｂ…凸部、５２ｔ１，５２ｔ２…頂部、５４…溝部、５６…凹部、７０，７０Ａ，５７０…遮光部としての壁部、７１…遮光部としての第１壁部、７２…遮光部としての第２壁部、８０…絞り部、１４０…受光部（第１の受光部）、１４１…第２の受光部、１５０…発光部（第１の発光部）、１５０Ａ…第２の発光部、１５１…ドーム型レンズ、１５５…台座部、１６０，１６０Ａ，１６０Ｄ…基板、１６０ａ…支持面（実装面）、１６９…穴部、１７０…体動センサー部、１７２…加速度センサー、１８０…振動発生部、２００…処理部、２１０…信号処理部、２１２…体動ノイズ低減部、２２０…拍動情報演算部、２３０…報知制御部、２４０…記憶部、２５０…通信部、２５２…アンテナ、２６０…報知部、２７４…接続端子、４００…生体情報測定装置、４１０…手首、４１１…皮膚、４２０…端末装置、４３０…表示部、５７０Ａ…遮光部、１０２０…心拍数監視装置、１０２２…センサー、１０２６…キャリア、１０３０…心拍数監視装置、１０３２…絶縁性材料、１０３４…電気的接続端子、１２２１，１２２３…発光素子、１２２１ａ，１２２２ａ…上面、１２２２…受光素子。
【図１】
2017189415.tif 000007
【図２】
2017189415.tif 000008
【図３】
2017189415.tif 000009
【図４】
2017189415.tif 000010
【図５】
2017189415.tif 000011
【図６】
2017189415.tif 000012
【図７】
2017189415.tif 000013
【図８】
2017189415.tif 000014
【図９】
2017189415.tif 000015
【図１０】
2017189415.tif 000016
【図１１】
2017189415.tif 000017
【図１２】
2017189415.tif 000018
【図１３】
2017189415.tif 000019
【図１４】
2017189415.tif 000020
【図１５】
2017189415.tif 000021
【図１６】
2017189415.tif 000022
【図１７】
2017189415.tif 000023
【図１８】
2017189415.tif 000024